(57)【要約】【課題】組み立てに際し、側板の立て込みを容易に行うことができるようにする。【解決手段】底盤１の周縁部に各一対の側板２及び棲板３を起立させ、その上部に蓋４を被せる組立式コンテナにおいて、底盤１は、パレット５の対向する縁部に底縁材７を取り付け、側板２及び棲板３は、板材６の両側に上下に分割して隅柱１０を取り付けたものとし、底縁材７の両側部に、大径部１１ａと小径部１１ｂとが同じ位置関係で横方向に連通した係止穴１１を穿設し、側板２の両側下部外面に隅柱１０から係止ピン１２を突設し、側板２の下部外面を底縁材７の立上部分の内面に沿わせ、係止ピン１２を係止穴１１の大径部１１ａに挿入し、係止ピン１２の軸部が係止穴１１の小径部１１ｂの方向へ進入するように側板２を移動させて、係止ピン１２の頭部と係止穴１１の小径部１１ｂとを係合させ、隅柱１０の溝に板材６の両側部を差し込み、側板２と棲板３とを継ぎ合わせる。【選択図】図１
2013166577.tif 000002
【特許請求の範囲】
【請求項１】
底盤(1)の周縁部に各一対の側板(2)及び棲板(3)を起立させ、その上部に蓋(4)を被せる組立式コンテナにおいて、底盤(1)は、パレット(5)の対向する縁部に底縁材(7)を取り付け、側板(2)及び棲板(3)は、板材(6)の両側に上下に分割して隅柱(10)を取り付けたものとし、底縁材(7)の両側部に、大径部(11a)と小径部(11b)とが同じ位置関係で横方向に連通した係止穴(11)を穿設し、側板(2)の両側下部外面に隅柱(10)から係止ピン(12)を突設し、側板(2)の下部外面を底縁材(7)の立上部分の内面に沿わせ、係止ピン(12)を係止穴(11)の大径部(11a)に挿入し、係止ピン(12)の軸部が係止穴(11)の小径部(11b)の方向へ進入するように側板(2)を移動させて、係止ピン(12)の頭部と係止穴(11)の小径部(11b)とを係合させ、隅柱(10)の溝に板材(6)の両側部を差し込み、側板(2)と棲板(3)とを継ぎ合わせたことを特徴とする組立式コンテナ。
【発明の詳細な説明】
【技術分野】
【０００１】
この発明は、物品の運搬に繰り返して使用する組立式のコンテナに関するものである。
【背景技術】
【０００２】
従来より、この種の組立式コンテナとして、図９に示すように、底盤５１の周縁部に各一対の側板５２及び棲板５３を起立させ、その上部に蓋５４を被せるものが使用されている（下記特許文献１参照）。
【０００３】
このコンテナにおいて、図１０に示すように、底盤５１は、パレット５５の四隅にＬ字状の底支柱５６を立設したものとされ、図１１に示すように、側板５２及び棲板５３は、プラスチック段ボール製の板材５７の両側にそれぞれ下部及び上部に分割して溝付きＬ字状の隅柱５８を取り付けたものとされている。
【０００４】
底支柱５６には、側板５２の内側から外側方向に切込５９が形成され、側板５２の隅柱５８には、外側方へ突出する係止ピン６０が設けられている。
【０００５】
このコンテナで物品を梱包する際には、まず、図１０に示すように、一対の側板５２を起立させて、側板２を底盤１の中央寄りから側辺両端の底支柱５６に接近させ、係止ピン６０を切込５９に挿入し、底支柱５６で側板２を起立状態に保持しつつ、図１１に示すように、隅柱５８の溝に板材５７の両側部を差し込んで、側板５２と棲板５３とを継ぎ合わせ、図９に示すように、その上部に蓋５４を被せる。
【０００６】
この組立過程において、上記コンテナでは、一対の側板５２の転倒を防止しつつ、側板５２と棲板５３の相互の差込作業を容易に行うことができる。
【先行技術文献】
【特許文献】
【０００７】
【特許文献１】特開２００６−３２１５２４号公報
【発明の概要】
【発明が解決しようとする課題】
【０００８】
しかしながら、上記のようなコンテナでは、組立時に係止ピン６０を切込５９に挿入して側板５２を立て込む際、底支柱５６に対する側板５２の横方向の位置決めがやや難しいという問題がある。
【０００９】
そこで、この発明は、組み立てに際し、側板の立て込みを容易に行うことができるようにすることを課題とする。
【課題を解決するための手段】
【００１０】
上記課題を解決するため、この発明は、底盤の周縁部に各一対の側板及び棲板を起立させ、その上部に蓋を被せる組立式コンテナにおいて、底盤は、パレットの対向する縁部に底縁材を取り付け、側板及び棲板は、板材の両側に上下に分割して隅柱を取り付けたものとし、底縁材の両側部に、大径部と小径部とが同じ位置関係で横方向に連通した係止穴を穿設し、側板の両側下部外面に隅柱から係止ピンを突設し、側板の下部外面を底縁材の立上部分の内面に沿わせ、係止ピンを係止穴の大径部に挿入し、係止ピンの軸部が係止穴の小径部の方向へ進入するように側板を移動させて、係止ピンの頭部と係止穴の小径部とを係合させ、隅柱の溝に板材の両側部を差し込み、側板と棲板とを継ぎ合わせたのである。
【発明の効果】
【００１１】
このコンテナでは、組み立てに際し、側板の下部外面を底縁材に沿わせて、側板を横方向にスライドさせると、係止ピンの位置が係止穴の大径部に一致した時点で、係止ピンが係止穴の大径部に嵌まり込むので、その後、係止ピンが係止穴の小径部へ向かう方向へ側板をさらにスライドさせて、係止ピンの頭部と係止穴の小径部とを係合させるだけで、側板を起立状態に保持しつつ、側板と棲板とを容易に継ぎ合わせることができる。
【図面の簡単な説明】
【００１２】
【図１】この発明の実施形態に係るコンテナの組立状態を示す斜視図
【図２】同上の分解斜視図
【図３】図２のＡ部及びＢ部の拡大斜視図
【図４】同上の側板の立込過程を示す斜視図
【図５】同上の（ａ）下部立面図、（ｂ）下部横断平面図
【図６】同上の棲板の立込過程を示す斜視図
【図７】同上の蓋を被せる過程を示す斜視図
【図８】同上の解体状態を示す斜視図
【図９】特許文献１に係るコンテナの組立状態を示す斜視図
【図１０】同上の側板の立込過程を示す斜視図
【図１１】同上の棲板の立込過程を示す斜視図
【発明を実施するための形態】
【００１３】
以下、この発明の実施形態を添付図面に基づいて説明する。
【００１４】
図１及び図２に示すように、この組立式コンテナは、底盤１の周囲に各一対の側板２及び棲板３を起立させ、その上部に蓋４を被せるものである。
【００１５】
底盤１には、汎用のプラスチック製パレット５が使用され、側板２及び棲板３を構成する板材６には、リブを有する中空構造のプラスチック段ボールが使用されている。また、蓋４にも、プラスチック段ボールが使用されている。
【００１６】
底盤１のパレット５には、一対の縁部に側板２に対応する底縁材７が取り付けられ、他対の縁部に棲板３に対応する底縁材８が取り付けられている。底縁材７，８は、プラスチック製の場合、熱溶着や超音波溶着のほか、リベットやビスでパレット５に固定され、金属製の場合、リベットやビスでパレット５に固定される。
【００１７】
底縁材８の両側方には、底縁材７との間に、側板２を挿入可能な隙間が開いている。底縁材７，８の内側には、プラスチック段ボール製の底シート９が敷設されている。
【００１８】
側板２及び棲板３の板材６の両側には、高さ方向の途中で分割した溝付きＬ字状の隅柱１０がそれぞれ取り付けられている。隅柱１０は、プラスチック製の場合、熱溶着や超音波溶着のほか、リベットやビスで板材６に固定され、金属製の場合、リベットやビスで板材６に固定される。
【００１９】
そして、図３及び図５に拡大して示すように、底縁材７のパレット５からの立上部分の両側部には、大径部１１ａと小径部１１ｂとが同じ位置関係で横方向に連通した係止穴１１が穿設されている。
【００２０】
また、側板２の隅柱１０の下部には、板材６の外面と同方向の面から突出する係止ピン１２が設けられている。係止ピン１２の頭部は、係止穴１１の大径部１１ａと小径部１１ｂの中間径となっており、係止ピン１２の軸部は、係止穴１１の小径部１１ｂより小径となっている。
【００２１】
そのほか、蓋４には環体付きの固定ベルト１３ａが、側板２には固定ベルト１３ｂが取り付けられ、パレット５にはファスナ片１３ｃが取り付けられている。さらに、蓋４の天面には、段積み時に上段側のコンテナに係合する荷崩防止具１４が設けられている。
【００２２】
このコンテナを使用時に組み立てる際には、図４及び図５に示すように、底盤１の一対の縁部に側板２を載せ、側板２の下部外面を底縁材７の立上部分の内面に沿わせて、側板２を横方向にスライドさせる。
【００２３】
これに伴い、係止ピン１２の位置が係止穴１１の大径部１１ａに一致した時点で、係止ピン１２が係止穴１１の大径部１１ａに嵌まり込むので、底盤１に側板２を載せる際、側板２を底盤１に対して厳密に位置決めする必要はない。
【００２４】
また、底縁材８の両側方の底縁材７との間の隙間を介し、側板２を底縁材７の内面に沿って底盤１の上面に容易に滑り込ませることができ、大きな物品を底盤１に予め載せておいても、組立作業に支障を来たすことがない。
【００２５】
その後、係止ピン１２が係止穴１１の小径部１１ｂへ向かう方向へ側板２をさらにスライドさせると、係止ピン１２の頭部と係止穴１１の小径部１１ｂとが係合し、側板２が起立状態に保持される。
【００２６】
次に、図６に示すように、一対の側板２の隅柱１０の対向する溝に棲板３の板材６の両側部を下端から差し込み、棲板３の隅柱１０の溝に側板２の板材６の両側上部を差し込んで、隣り合う側板２と棲板３とを継ぎ合わせ、図７に示すように、蓋４を被せると、図１に示す形態に組み立てられる。
【００２７】
この組立状態において、蓋４に取り付けた固定ベルト１３ａの環体に、側板２に取り付けた固定ベルト１３ｂを挿通して折り返し、その面ファスナでループ状に固定すると、輸送時における蓋４の飛び上がりが防止される。
【００２８】
一方、このコンテナを保管しておく際や物品納入先から返送する際には、図８に示すように、底盤１に側板２及び棲板３を倒して載せ、蓋４を被せて扁平な状態としておく。このとき、固定ベルト１３ａをファスナ片１３ｃに面ファスナで固定すると、底盤１と蓋４の分離が防止されるので、持ち運びが容易になる。
【００２９】
なお、上記実施形態では、底盤１にプラスチック製のパレット５を使用したものを例示したが、パレット５としては、木製パレットや合板製パレット、鋼材やアルミニウム材から成る金属製パレット等を使用することもできる。
【符号の説明】
【００３０】
１  底盤
２  側板
３  棲板
４  蓋
５  パレット
６  板材
７，８  底縁材
９  底シート
１０  隅柱
１１  係止穴
１１ａ  大径部
１１ｂ  小径部
１２  係止ピン
１３ａ，１３ｂ  固定ベルト
１３ｃ  ファスナ片
１４  荷崩防止具
【図１】
2013166577.tif 000003
【図２】
2013166577.tif 000004
【図３】
2013166577.tif 000005
【図４】
2013166577.tif 000006
【図５】
2013166577.tif 000007
【図６】
2013166577.tif 000008
【図７】
2013166577.tif 000009
【図８】
2013166577.tif 000010
【図９】
2013166577.tif 000011
【図１０】
2013166577.tif 000012
【図１１】
2013166577.tif 000013